(57)【要約】【課題】客がショーケースの前にいるときに、ショーケース開口部を覆うカバーを開いて商品の購入の利便性を図り、客がショーケースの前にいないときに、カバーで閉じてショーケース内の冷気の損失を防ぎ消費電力の省力化を図るショーケースのカバー装置を提供する。【解決手段】ショーケース１００の開口部１７０を開閉するカバー１３５と、前記カバー１３５を開閉する駆動装置１３０を備えている。この駆動装置１３０にコントローラーを介して近接センサー１２０を接続し、この近接センサー１２０によってショーケース１００前の客の存在有無を感知し、駆動装置を作動させてカバーを開閉するようにした。【選択図】図１
2013169320.tif 000002
【特許請求の範囲】
【請求項１】
ショーケースの開口部を開閉するカバーと、ショーケースに装着され前記カバーを開閉する駆動装置を備え、この駆動装置にコントローラーを介して接続される近接センサーを設け、この近接センサーの感知に関連して前記駆動装置を作動させ前記カバーを開閉するようにしたことを特徴とするショーケースのカバー装置。
【請求項２】
駆動装置としてチューブラーモーターを設け、このチューブラーモーターのドライビングチューブにカバーを巻回した請求項１に記載のショーケースのカバー装置。
【請求項３】
近接センサーを角度調節可能に設けた請求項１または２に記載のショーケースのカバー装置。
【請求項４】
所定の時刻に駆動装置が作動するようタイマーを設けた請求項１〜３のいずれかに記載のショーケースのカバー装置。
【請求項５】
駆動装置の作動を自動または手動に切り替え得るスイッチを設けた請求項１〜４のいずれかに記載のショーケースのカバー装置。
【請求項６】
カバーを透明に形成した請求項１〜５のいずれかに記載のショーケースのカバー装置。
【発明の詳細な説明】
【技術分野】
【０００１】
本発明は、ショーケースのカバー装置に関し、特に冷蔵・冷凍食品を販売するショーケースのカバー装置に係り、営業中、平素はカバーでショーケースの開口部を閉じて内部の冷気が外に出るのを防ぎ、ショーケースに客が接近するとセンサーが感知してカバーを開放し商品を簡便に購入できるようにし、また営業終了後はショーケースの開口部をカバーで閉じて冷気の損失を防止するようにしたショーケースのカバー装置に関するものである。
【背景技術】
【０００２】
スーパーマーケット、コンビニエンスストア、一般の店舗等では、冷蔵・冷凍保管を要する食品は、通常冷蔵・冷凍機能が備わった陳列棚型の開放式ショーケースに収納して販売されている。
このようなショーケースは、客が商品を簡単に取れるように常時前面を開放しているために、冷気の損失がひどく多量の電力を消費してしまうという問題があった。
特に、２４時間営業のコンビニエンスストアにおいて深夜時間帯に客が全くいない場合には、ショーケースの前面が開放されていると、上記のように冷気の損失を伴い無駄な電力の消費の要因となる上に、店内温度の維持を妨げる要因ともなっていた。
【０００３】
この問題を解消するために、ショーケースの前面にガラス窓を設置したものが存在している。しかし、このものは、客が商品を購入する際に逐一ガラス窓を開閉する必要があるために使用上非常に不便を感じる。
【０００４】
また、スーパーマーケット等の場合、冷気の損失を防ぐために閉店後にショーケースの開口部をブラインド状のカバー（ナイトカバー）で覆うものが考えられている。しかし、このものも広い売り場で店員が逐一全てのショーケースにカバーを掛けて回らなければならないので、多くの手間がかかり使用勝手が悪いものである。
【先行技術文献】
【特許文献】
【０００５】
【特許文献１】登録実用新案第３０５８０５１号公報（段落「０００５」、図２）
【発明の概要】
【発明が解決しようとする課題】
【０００６】
本発明は、上記のような問題点を解消するものであって、客がショーケースの前にいないときは、ショーケースの開口部をカバーで閉じてショーケース内の冷気の損失を防ぎ消費電力の省力化を図るようにし、客がショーケースの前にいるときは、カバーを開いてショーケースの開口部を開放させ客の購入の利便性を図るようにしたショーケースのカバー装置を提供するものである。また、店舗の営業終了後に店員がショーケースの開口部をカバーで覆う作業を簡素化、簡略化し、その労苦を軽減するようにしたショーケースのカバー装置を提供するものである。
【課題を解決するための手段】
【０００７】
本発明は、ショーケースの開口部を開閉するカバーと、ショーケースに装着され前記カバーを開閉する駆動装置を備え、この駆動装置にコントローラーを介して接続される近接センサーを設け、この近接センサーの感知に関連して前記駆動装置を作動させ前記カバーを開閉するようにしたことを特徴とするものである。
【０００８】
また、本発明は、駆動装置としてドライビングチューブにカバーを巻回したチューブラーモーター（ＴｕｂｕｌａｒＭｏｔｏｒ）を用いたり、近接センサーを角度調節可能に設置したり、所定の時刻に駆動装置が作動するようにタイマーを設けたり、駆動装置の作動を自動または手動に切り替えるスイッチを設けたり、カバーを透明に形成したりすることを特徴とするものである。
【発明の効果】
【０００９】
本発明は、上記のように構成され、ショーケースの前に客がいないときは、ショーケースの開口部がカバーで閉じられショーケース内部の冷気損失を防止し電力消費量を軽減することができ、ショーケース前に客がいるときは、ショーケース開口部のカバーが開いて客の商品購入行為の邪魔にならず簡便に購入することができる。また、店舗の営業終了後にショーケースの開口部をカバーで自動的に閉じることができるので、店員のカバー覆い作業を軽減し、効率化を図ることができる。
【図面の簡単な説明】
【００１０】
【図１】本発明の一実施例であって、ショーケース内を透視して示す概略図である。
【図２】図１のＡ部分の拡大側面図である。
【図３】駆動装置部分の分解斜視図である。
【図４】カバーの開閉をコントローラーする態様を示すブロック図である。
【発明を実施するための形態】
【００１１】
以下、本発明の実施の形態について図１〜図４を参照して説明する。
図１に示すように、冷蔵保存可能なショーケース１００のフレーム１１０には、ショーケース前面の開口部１７０を開閉するカバー１３５を作動させる駆動装置１３０が装着されている。
実施例では、駆動装置１３０として、チューブラーモーター１３２が用いられている。このチューブラーモーター１３２は、その両端部に設けられた断面四角形の支持軸１３３をフレーム１１０に固定したブラケット１３１の断面四角形の支持孔１３７に挿入支持することによってショーケース１００に取付けられている。
【００１２】
チューブラーモーター１３２のドライビングチューブ１３４には、カバー１３５が巻回されている。このチューブラーモーター１３２を駆動すると、ドライビングチューブ１３４の正逆回転によりカバー１３５が巻き出し、巻き戻しされ、このカバー１３５によってショーケースの開口部１７０が開閉される。この場合、カバー１３５の先端部に軸１３６を設けておくと、この軸１３６が錘となってカバーの弛みを防止しカバーをより円滑に巻回させることができる。
なお、チューブラーモーター１３２及びドライビングチューブ１３４はケーシング１３８に収容されている。
【００１３】
カバー１３５は、プラスチック材その他の材料で単層、積層（ラミネート）等に形成されたものであるが、これを透明に形成すると、カバー１３５が閉じている際でもショーケース内の商品を透視することができ、商品の展示位置を容易に知ることができる。
【００１４】
ショーケース１００のフレーム１１０の上部には、近接センサー１２０が取り付けられており、このショーケース１００に客１８０が近づきセンサーの作動範囲に進入したときに、近接センサー１２０が客１８０の存在を感知する。この感知信号は、コントローラー１４０を介してチューブラーモーター１３２に伝送され、その結果、チューブラーモーターが作動し、平素は閉じているカバー１３５が開くので買物がし易くなる。
【００１５】
ショーケース１００の前に客１８０がいない場合、近接センサー１２０は感知しないのでコントローラー１４０の制御によりチューブラーモーター１３２が作動し、カバー１３５が閉じる。このようにしてショーケース１００の開口部１７０が閉じるので、ショーケース１００内の冷気の流出が防止され、消費電力の損失を防ぐことができ節電になる。また、その際、不必要に冷気を店内に放出することがないので、店内の温度管理に悪影響を及ぼすことがない。
【００１６】
近接センサー１２０は、ショーケース１００に固定したブラケット１２１に回動可能に取付けられており、近接センサー１２０の角度が調整できるようになっている。この角度調節によって、商品を購入するためにショーケース１００に近づく客と、単にショーケース１００の前を通り過ぎる客を区別を図ることができる。
なお、この例では、近接センサー１２０とブラケット１２１の支持部間を摩擦的に接合させ近接センサー１２０を所定の位置に保持させて角度を調整するようにしているが、その支持部間をラチェット形式の接合にしたり、近接センサー１２０の支持軸をモーターやギヤードモーター等で回転させて角度を調整するようにしたりしてもよい。
【００１７】
また、実施例では、近接センサー１２０として赤外線センサーを用いているが、その他の静電容量型、超音波型、電磁波型等のセンサーを用いることができる。
【００１８】
本装置には、チューブラーモーター１３２を自動または手動で駆動させるための切替スイッチ１５０が設けられており、この切替スイッチがコントローラー１４０で制御されている。この切替スイッチ１５０によって、店員が商品の出し入れをする必要が生じた場合等に、手動に切り替えてカバー１３５を開閉することができる。
【００１９】
また、本装置には、近接センサー１２０の作動に関係なくチューブラーモーター１３２を所定の時間帯に作動させるタイマー１６０が設けられており、このタイマー１６０がコントローラー１４０で制御されている。従って、例えば閉店時から開店時までの時間帯にチューブラーモーター１３２が作動しないようにタイマーをセットした場合、その時間帯に近接センサー１２０が人を感知してもカバー１３５が開くことがないので、ショーケース内の冷気を無駄に放出することがない。
【００２０】
本装置は、上記に示す形態のみに限定されるものではなく、例えば、駆動装置としてブレーキ付きのギヤードモーターや減速機付きのモーター等を用いたり、電源用ボタンを別途設けたり、駆動装置等の作動をリモートコントロールしたり、その他適宜、設計変更したりすることができるものである。
【符号の説明】
【００２１】
１００  ショーケース    １２０  近接センサー    １３０  駆動装置    １３２  チューブラーモーター    １３４  ドライビングチューブ    １３５  カバー    １４０  コントローラー    １５０  切替スイッチ    １６０  タイマー    １７０  開口部
【図１】
2013169320.tif 000003
【図２】
2013169320.tif 000004
【図３】
2013169320.tif 000005
【図４】
2013169320.tif 000006